(57)【要約】      （修正有）【課題】浄化水に対し自動的に飲用液の添加、更には混合を実現し得る浄水器の構成を提供する。【解決手段】浄水器１の一部領域内に所定の飲用液を貯留する領域２を設け、当該領域の上側は、浄水器１の外部と通気可能な状態にあり、該領域と浄化水を上昇しかつ排出するための経路４との間に連通パイプ３を設けており、当該連通パイプ３の先端は、浄化水の移動方向側を向いた状態にて開口しており、かつ連通パイプ３の中途部位においては、取っ手５と連動することによって、飲用液の移動の開閉、及び移動量の調整を自在としたことに基づき、飲用液を浄化水に対し自動的に添加し得ると共に、前記経路４が当該領域内において、飲用液を収容する容器２１を貫通していない状態とし、かつ当該容器２１を浄水器１から挿脱自在とすることによって、多種類の飲用液の添加、更には混合を実現し得る飲用液添加可能な浄水器１。【選択図】          図１
2005329276.tif 000002
【特許請求の範囲】
【請求項１】
浄水器の一部領域内に所定の飲用液の貯留領域を設け、当該領域よりも上側の位置を、浄水器の外部と通気可能な状態とし、該領域と浄化水を上昇し、かつ排出するための経路との間に連通パイプを設けており、当該連通パイプの先端は、前記経路内において浄化水の移動方向側を向いた状態にて開口しており、かつ連通パイプの中途部位においては、浄水器の外側に移動自在の状態にて設けた取っ手と連動することによって、飲用液の移動に対する開閉、及び移動量の調整を自在としたことに基づく飲用液添加可能な浄水器。
【請求項２】
連通パイプの先端が、飲用液の貯留領域よりも上側に位置していることを特徴とする請求項１記載の飲用液添加可能な浄水器。
【請求項３】
飲用液の貯留領域を、浄化水を上昇しかつ排出するための経路の周囲に設けたことを特徴とする請求項１記載の飲用液添加可能な浄水器。
【請求項４】
飲用液の貯留領域に収納される容器を、浄化水を上昇しかつ排出するための経路によって、貫通されていない状態としたうえで、当該容器を浄水筒において挿脱自在としたことを特徴とする請求項１記載の飲用液添加可能な浄水器。
【請求項５】
浄水筒と飲用液が貯留している領域が属する筒とを分離して設け、双方を連通していることを特徴とする請求項１記載の飲用液添加可能な浄水器。
【請求項６】
飲用液として、ミネラルウォーターを選択したことを特徴とする請求項１記載の飲用液添加可能な浄水器。
【発明の詳細な説明】
【技術分野】
【０００１】
本発明は、浄化水に所定の飲用液（例えば、ミネラルウォーター、ジュースなど）を添加した状態にて、排出（吐出）することができる浄水器に関するものである（尚、明細書及び特許請求の範囲における「浄化水」とは、「浄化された水」の趣旨である。）。
【背景技術】
【０００２】
浄水器には、様々な工夫及び設計が行われているが、排出された浄化水に対し、所定の飲用液を別途添加し、かつ混合することがこれまでの浄水器の使用方法であった。
【０００３】
このような従来技術の場合には、他の飲用液を別途容器に収容し、前記のような混合する作業を不可欠としているが、一挙に浄化水と所望の飲用液とが混合した状態にて排出可能とするような浄水器の構成は提唱されていなかった。
【０００４】
精々水の浄水工程と共に、ミネラルウォーターの精製可能な浄水器の構成が提唱されているに過ぎない。
【０００５】
【特許文献１】特開平１１−５７７０６号公報
【特許文献２】特開２０００−６１４５６号公報
【特許文献３】特開２００３−１９０９７０号公報
【発明の開示】
【発明が解決しようとする課題】
【０００６】
本発明は、前記のような従来技術の状況に鑑み、浄化水に対し、所望の飲用液が添加され、かつ混合された状態にて排出することを可能とする浄水器の構成を提供することを課題としている。
【課題を解決するための手段】
【０００７】
前記課題を解決するため、本発明の構成は、浄水器の一部領域内に所定の飲用液の貯留領域を設け、当該領域よりも上側の位置を、浄水器の外部と通気可能な状態とし、該領域と浄化水を上昇し、かつ排出するための経路との間に連通パイプを設けており、当該連通パイプの先端は、前記経路内において浄化水の移動方向側を向いた状態にて開口しており、かつ連通パイプの中途部位においては、浄水器の外側に移動自在の状態にて設けた取っ手と連動することによって、飲用液の移動に対する開閉、及び移動量の調整を自在としたことに基づく飲用液添加可能な浄水器からなる。
【発明の効果】
【０００８】
本発明においては、浄化水に所定の飲用液を適切な量に調整したうえで混合し、かつ直ちに飲用することが可能となると共に、従来技術のように、浄化水と容器に収容されている飲用液とを調合するために、浄化水を部分的に捨てるというような無駄な浄化水の発生を極力防止することができる。
【発明を実施するための最良の形態】
【０００９】
図１は、本発明の基本的実施形態を示すが、図１からも明らかなように、本発明においては、飲用液貯留領域２と浄化水を上昇し、かつ排出するための経路４との間に設けている連通パイプ３の先端は、浄化水を上昇し、かつ排出するための経路４内において、浄化水の移動方向側を向いた状態にて開口している。
尚、通常前記経路４としては、１本のパイプが使用されている。
【００１０】
上記のような開口状態は、浄化水の移動に伴う負圧に基づいて、飲用液を前記連通パイプ３を介して浄化水側に移動させ、かつ浄化水と共に移動させることに由来している。
【００１１】
他方、本発明においては、図１に示すように、飲用液の貯留領域２の上側は外気に連通しているが、その根拠は、飲用液が前記負圧に基づき、連通パイプ３を介して浄化水側に順次移行した場合、当該貯留領域２に外部からの空気の補填が必要であることに由来している。
【００１２】
本発明においては、図１に示すように、浄水器１の外側に設けた取っ手５によって連通パイプ３における飲用液の流動に対する開閉及び流通量の調整を行っており、このような機能によって、飲用液の浄化水に対する添加、及び混合を行うか否かの選択、及び添加の程度の調整を実現することが可能となる。
【００１３】
図１に示すように、浄化水は、連通パイプ３の先端を貯留領域の上側に配置した場合には、調整ボタンの閉鎖を失念した場合においても、飲用液が前記経路４内を、移動していない場合の浄化水に添加されることを防止することができる点において好ましい（逆に、連通パイプ３の先端が貯留領域の下側に配置している場合には、前記のような失念の場合に、飲用液が前記経路４を移動していない浄化水に添加されるという危険性があり、好ましくない。）。
【００１４】
本発明において、添加の対象となる飲用液としては、ミネラルウォーター、ジュース、牛乳など多種類にわたるが、飲用液は浄化水と共に放散される以上、予め濃縮した状態にて貯留しておくと良い。
【００１５】
飲用液の貯留領域２においては、飲用液を収容するための容器２１が配置されている（但し、当該貯留領域２は、当該容器２１を支える構成部分≪図示せず≫を包摂していることから、当該領域２と当該容器２１とは同趣旨又は同意義ではない。）。
【００１６】
連通パイプ３は、浄化水を上昇しかつ排出するための経路４内に突入した状態とするために、当該経路４の構成部分（具体的にはパイプ）に固着されるが、飲用液の貯留領域２に配置されている容器２１に対し、連通パイプ３を固着させる必要はない。
【００１７】
このような場合、図１に示すように、容器２１に対し、前記経路４が貫通しない構成を選択した場合には、容器２１を浄水器１から挿脱自在とする設計も可能であり、当該設計においては、容器２１の挿脱によって他種類の飲用液を随時選択することが可能となる。
【００１８】
以下、実施例に即して説明する。
【実施例】
【００１９】
本発明においては、飲用液の貯留領域２を設けることから、１個の浄水筒１１において、当該領域２を設定した場合には、濾過層によって水を浄化するための領域を狭小とするか、又は浄化筒１１を高く設計せざるを得ない場合が生ぜざるを得ない。
【００２０】
図２に示すように、実施例においては、このような難点を克服するため、浄水筒１１と飲用液が貯留している領域が属する筒とを分離して設け、双方を連通していることを特徴としている。
【００２１】
このように、独立した浄水筒１１を設定している実施例においては、前記設計上の難点を克服することが可能となり、極めて好都合である。
尚、実施例においては、図２に示すように、浄化水を上昇し、かつ排出するための経路４の周囲に飲用液の貯留領域２を設け、かつ容器２１を配置することによって多量の飲用液を収容しているが、このような設計は、本願発明の基本的要件に該当する訳ではない。
【産業上の利用可能性】
【００２２】
本発明は、浄化水の多目的利用を実現しており、浄水器の分野において新たな開拓分野を提供している。
【図面の簡単な説明】
【００２３】
【図１】本発明の基本的実施形態を示す側断面図である。
【図２】実施例の構成を示す側断面図である。
【符号の説明】
【００２４】
１：浄水器
１１：浄水筒
２：飲用液貯留領域
２１：容器
３：連通パイプ
３１：開口部
４：浄化水を上昇し、かつ排出するための経路
５：取っ手
６：通気孔
【図１】
2005329276.tif 000003
【図２】
2005329276.tif 000004